(57)【要約】【課題】  両手で捕まることにより、ベッドからの立ち上がりや、車椅子等への移乗の際の体のバランスを取ることができ、さらには、起立補助具に捕まりながら容易に体の向きを変えることができ、車椅子への移乗動作を容易にするためのベッドサイドフレーム用起立補助具を提供する。【解決手段】  水平な横枠を有し、ベッドのサイドフレームから起立した状態に固定される固定手すりに連結させてベッドのサイドフレームから側方に張り出す第１手すり部１０と、水平な横枠を有し、前記第１の張り出し手すりに連結させる第２手すり部２０と、からなるベッドサイドフレーム用起立補助具。【選択図】  図２
0003108447.tif 000002
【実用新案登録請求の範囲】
【請求項１】
上下の横枠１１ａ、１１ｂと該横枠の外端部を連結する縦枠１２からなる第１手すり部１０と、
上下の横枠１２ａ、１２ｂと該横枠の外端部を連結する縦枠２２からなる第２手すり部２０と、を備え、
前記第１手すり部１０と第２手すり部２０とは、
前記上下横枠のそれぞれの内端部において支柱Ｐに連結され、
平面視において角度θでくの字状に形成されており、
前記第２手すり部２０の縦枠２２の下部に脚部２３が長さ調節可能に設けられるとともに、
前記支柱Ｐの下部に脚部２４が長さ調節可能に設けられていることを特徴とするベッドサイドフレーム用起立補助具。
【請求項２】
前記角度θが９０〜１８０°であることを特徴とする請求項１に記載のベッドサイドフレーム用起立補助具。
【請求項３】
前記角度θが可変であることを特徴とする請求項１又は２に記載のベッドサイドフレーム用起立補助具。
【考案の詳細な説明】
【技術分野】
【０００１】
本考案は、ベッドから起きあがる際に捕まり立ち上がりやすくするためのベッドサイドフレーム用起立補助具に関し、さらには、障害を持った者或いは要介護者向けに使用されるベッドサイドフレーム用起立補助具に関する。
【背景技術】
【０００２】
ベッドから降りる際に捕まるベッド用手すりとして、従来から、図１に示すような手すりが存在する。
障害を持った者や要介護者、足腰の虚弱な老人等は、ベッドから降りて車いすやポータブルトイレに移乗する際に、体を支える手すりが必要不可欠である。しかしながら、従来の手すりでは、図６（ａ）に示されたようにベッドサイドに沿って取り付けられた手すりや、図６（ｂ）に示すようなベッドサイドから単に一方向に張り出した手すりであったため、体のバランスを崩しやすく、移乗動作の際に転倒の危険を伴うものであった。特に、片手で手すりを持って体を支えながら、車いすに座るために体の向きを変えることは、要介護者にとっては大変な労力を要し、この動作の際に転倒することも多かった。
【０００３】
本願考案者は、上記のような問題点に鑑み、先に、中央脚部とその両側の脚部とを有し、中央脚部は、ベッドの床部分を下方から貫挿するボルトと螺着可能に設計されており、両側の脚部は何れも、下方の長さを調整自在とする為の支持棒を挿入し、かつ固着可能であり、中央脚部とその両側の脚部とを夫々使用者が把持することができる横枠によって両側から横架し、前記両側の横枠を所定の角度を以って、交差した状態であることに基づくベッドサイド用手すりを提案した（実用新案登録第３０４４４２８号）。
【０００４】
また、特開平１１−２９９８４０号公報には、平行に延びる下側および上側の水平フレームを備え、ベッドのサイドフレームから起立した状態に固定される固定手すりと、前記下側および上側の水平フレームの間隔と等しい間隔をもって平行に延びる第１および第２の水平フレームを備えるとともに、当該第１および第２の水平フレームの間に掛け渡されて側方に張り出す張り出し手すりを備える着脱手すりと、該着脱手すりの側端部と前記固定手すりの側端部との間において、前記上側の水平フレームと前記第１の水平フレームの端部同士を連結し、かつ、前記下側の水平フレームと前記第２の水平フレームの端部同士を連結した状態と、前記着脱フレームを上下反転させて、前記下側の水平フレームと前記第１の水平フレームの端部同士を連結し、かつ、前記上側の水平フレームと前記第２の水平フレームの端部同士を連結した状態とに切り換え可能な連結機構とを有するベッド用手すりが提案されている。
【特許文献１】特開平１１−２９９８４０号公報
【考案の開示】
【考案が解決しようとする課題】
【０００５】
上記した従来の手すりにおいては、車いすに移乗する際には、まず片手で短い着脱手すり部分に捕まって立ち上がり、次に車いすに座るために着脱手すりの方向に向かって体の向きを変える必要があるため、体のバランスを崩しやすく、転倒しやすいといった問題があった。
本考案者らは上記の問題点に鑑み、ベッドからの立ち上がりや車椅子等への移乗の際において、体のバランスを取ることができ、転倒を減少させるベッドサイド用起立補助具を提供することを目的とする。
また、既存のベッドサイドの手すりに容易に取り付けることができる起立補助具を提供することを第２の目的とする。
【課題を解決するための手段】
【０００６】
そこで、本考案者は、ベッドサイドの手すりに、第１の張り出し部分及び第２の張り出し部分を有する起立補助具を取り付けることにより、両手で手すりを持つことができるようにして転倒の危険性が減少することを見いだし、本考案に至った。
すなわち、本考案の請求項１に記載するベッドサイドフレーム用起立補助具は、
上下の横枠１１ａ、１１ｂと該横枠の外端部を連結する縦枠１２からなる第１手すり部１０と、
上下の横枠１２ａ、１２ｂと該横枠の外端部を連結する縦枠２２からなる第２手すり部２０と、を備え、
前記第１手すり部１０と第２手すり部２０とは、
前記上下横枠のそれぞれの内端部において支柱Ｐに連結され、
平面視において角度θでくの字状に形成されており、
前記第２手すり部２０の縦枠２２の下部に脚部２３が長さ調節可能に設けられるとともに、
前記支柱Ｐの下部に脚部２４が長さ調節可能に設けられていることを特徴とする。
請求項２に記載するベッドサイドフレーム用起立補助具は、請求項１において、
前記角度θが９０〜１８０°であることを特徴とする。
請求項３に記載するベッドサイドフレーム用起立補助具は、請求項１又は２において、
前記角度θが可変であることを特徴とする。
【考案の効果】
【０００７】
本考案のベッドサイドフレーム用起立補助具によれば、第１の張り出し手すりと、それに連結する第２の張り出し手すりと、に両手で捕まることができるので、立ち上がり・移乗の際の体のバランスを取ることができ、転倒が減少するという効果がある。また、第１の張り出し手すりと、第２の張り出し手すりとが、所定の角度を持って連結されているため、使用者が手すりに捕まりながら容易に体の向きを変えることができ、車椅子への移乗動作が格段に楽になる。
本考案の起立補助具を使用すれば、特に、麻痺が重く、車椅子等への移乗時に患側へ倒れ込む傾向のある場合や、バランスが悪いが、両手で手すりを持つことで安定する場合には大きな効果がある。また、痴呆等により、歩き出して転倒する危険がある場合にも、本考案の起立補助具を伝って歩けば、転倒する危険性が減少する。
本考案の起立補助具は、既存のベッドサイドの手すりに容易に取り付けることができる。
【考案を実施するための最良の形態】
【０００８】
以下に、図面を参照しながら本考案のベッドサイドフレーム用起立補助具を詳細に説明する。
図１は、本考案のベッドサイドフレーム用起立補助具の基本構成を示す斜視図である。
図１に示すように、本考案のベッドサイドフレーム用起立補助具は、第１手すり部１０と、第２手すり部２０を有しており、両者は「くの字状」に連結されている。
【０００９】
第１手すり部１０は、矩形状のパイプで形成されており、
上下の横枠１１ａ、１１ｂ及び両者の外端部を連結する垂直の縦枠１２からなる。
第２手すり部２０は、同じく矩形状のパイプで形成されており、
上下の横枠２１ａ、２１ｂ及び両者の外端部を連結する垂直の縦枠２２からなる。
また、第１手すり部１０と、第２手すり部２０とは、
横枠１１ａ、１１ｂ及び横枠２１ａ、２１ｂのそれぞれの内端部において支柱Ｐに連結され、平面視において角度θで「くの字状」に形成されている。
なお、第１手すり部１０や第２手すり部２０における横枠は、上下２本に限定されるものではなく、強度が必要な場合は適宜本数を増やして３本以上とすることもできる。
さらに、第２手すり部２０の縦枠２２の下部には、脚部２３が設けられている。脚部２３は、ベッドと床との高さの差に自在に適用可能とするため、縦枠２２の下端内部にその上端を挿入し長さ調節して、縦枠２２の下部に固定可能な構成となっている。
また、同様の理由により、支柱Ｐの下部においても脚部２４が設けられており、脚部２４は、支柱Ｐの下端内部にその上端を挿入し長さ調節して、支柱Ｐの下部に固定可能な構成となっている。
長さ調節は、図１に示すように、ねじ等の固定手段Ｎで横方向から固定する手段を用いることができる。
【００１０】
本考案の起立補助具を、ベッドのサイドフレームに連結して使用する際には、
図１に示すように、第１手すり部１０を、ベッドのサイドフレームから起立した固定手すりＡに、固定手段３０を用いて固定する。
本考案において、固定手段３０は、使用者が寄りかかっても耐えられる程度の強度を有する固定方法であれば特定するものではないが、
簡易な固定方法としては、第１手すり部１０の縦枠１２を、
ベッドのサイドフレームの固定手すりＡの縦枠Ａ２に密着させ、
第１手すり部１０の縦枠１２と固定手すりＡの縦枠Ａ２とを固定手段３０で結束させる方法が挙げられる。
この際の固定手段しては、固着金具や、結束バンド、結束紐等が挙げられる。
その他の固定手段しては、一方の縦枠を他方の縦枠内部に挿入して、ねじ等で両縦枠を固定させる方法であっても良い。
【００１１】
第１手すり部１０と第２手すり部２０とは、支柱Ｐを共用している。
この場合において、第１手すり部１０と第２手すり部２０とが、平面視において角度θでくの字状に連結していることが、
使用者の体の向きを容易に変えることができて好ましい。
角度θとしては、使用の便宜及び安定した支持を実現するために、９０°〜１８０°であることが好ましい。
９０°未満である場合は、第１手すり部１０と第２手すり部２０との間に使用者が入りにくく、１８０°を超える場合は、使用者の手前側ではなく裏側に折れ曲がった形状になり、使用者が両手で第１手すり部１０と第２手すり部２０とを持ちにくくなる。
このような角度θは、第１手すり部１０と第２手すり部２０とを、支柱Ｐに連結させる際に、例えば、パイプ溶接の際に、使用者の要望に従い角度θを適宜に決定して、製造することができる。
【００１２】
また、角度θは使用者によって好みの角度とできるように、蝶番等を用いて可変とするものであっても良い。その際は、第１手すり部１０の内端部に設ける支柱Ｐ１と、第２手すり部２０の内端部に設ける支柱Ｐ２とを、蝶番等を用いて連結し、支柱Ｐ１及び支柱Ｐ２を軸に開閉し、好みの角度となったところで角度θを固定できるようにすることができる。
角度θを固定する方法としては、横枠１１ａ及び２１ａを橋渡しする角度固定棒（図示せず）で、第１手すり部１０と第２手すり部２０とを固定することが考えられる。
【００１３】
このように、角度θを可変とする構成とすることで、使用者の手の長さや歩幅によって第１手すり部１０と第２手すり部２０の開き角度θを変えることができる。
また、本考案の起立補助具を使用しない際には第１手すり部１０と第２手すり部２０とを重ね合わせて折り畳み保管することができるため、スペースを取らず有効である。
【００１４】
次に、ベッドサイドの固定手すり部分Ａと前記第１手すり部１０とで形成する角度αは、可変であることが望ましい。
すなわち、ベッドのサイドフレームの固定手すりＡに第１手すり部１０を連結させる際に、好みの角度αとなったところで固定できるような固定手段を採用することが好ましい。
【００１５】
本考案の起立補助具の材質としては、使用者の体を支えるだけの強度を有するものであることが好ましく、例えば、スチール、アルミニウム、木材、プラスチック、それらの複合材等が挙げられる。また、取り扱いを容易にするために、比較的軽量であることが好ましい。上記のような観点から、中空状のスチールパイプが好ましく用いられる。
【００１６】
（第１の実施の形態）
図２は、本考案のベッドのサイドフレーム用起立補助具の第１の実施の形態を説明する斜視図である。
図２に示すように、本考案の起立補助具の第１手すり部１０の縦枠１２をベッドサイドフレームの固定手すりＡの縦枠Ａ２に密着させて、結束バンド等の固定手段３０を用いて、縦枠１２と縦枠Ａ２とをしっかりと固着する。
固定手段３０としては、例えば、図４に示すような、２本のスチールパイプを結束するための固定金具等を使用すると、強度的に優れた一体的構造とすることができ好ましい。
【００１７】
（第２の実施の形態）
図３は、本考案のベッドのサイドフレーム用起立補助具の第２の実施の形態を示す図である。
本実施の形態において、ベッドには、サイドフレームである固定手すりＡが取り付けられており、さらに、固定手すりＡの端部から外方に延出する延出手すりＢが固定手すりＡに連結形成されている。
このようなベッドのサイドフレームに、本考案の起立補助具を取り付けるには、
図３に示すように、第１手すり部１０と延出手すりＢと密着させ、延出手すりＢと、第１手すり部１０の横枠１１ａ、１１ｂ、縦枠１２、支柱Ｐ等を結束バンド等の固定手段を用いてしっかりと固定する。
【００１８】
図３に示すように、ベッドサイドに予め固定されて設けられている延出手すりＢは、脚部Ｂ１を有しているため、本考案の起立補助具の、支柱Ｐを下方に延長した部分に脚部２４を縮小させておくことができる。
一方、延出手すりＢに脚部がない場合は、本考案の起立補助具の支柱Ｐの下部の脚部２４を伸長させておくことが好ましい。
【００１９】
図５（ａ）〜（ｄ）は、本考案のベッドのサイドフレーム用起立補助具を用いてベッドから起きあがり、立ち上がり、次に車椅子に移乗するまでの一連の動作を示す平面図である。
図５（ａ）〜（ｄ）に示すように、使用者は第１手すり部１０をつかんで立ち上がり、寄りかかることができる。また、両第１及び第２手すり部２０が所定の角度θを有して使用者の前方に立設しているので、一方の手で第１手すり部１０を、他方の手で第２手すり部２０を把持して、安定した状態で身体を支えることができ、車椅子（又はポータブルトイレ等）に容易に着座することができる。
【産業上の利用可能性】
【００２０】
本考案の起立補助具によれば、身体に障害や麻痺があり、ベッドからの起立や車椅子への移乗が困難な人や、足腰の虚弱な老人等が、ベッドからの起立の際の危険性を減少させることができる。すなわち、ベッドからの起立の際に両手で手すりを持つことができ、手すりに沿って体の向きを変えることができるため、転倒の危険性が減少する。
また、本考案の起立補助具は、既設のベッドサイドフレームに簡易に取り付けることができる。
【図面の簡単な説明】
【００２１】
【図１】本考案のベッドサイドフレーム用起立補助具の構成を示す斜視図である。
【図２】本考案の起立補助具の第１の実施の形態を示す斜視図である。
【図３】本考案の起立補助具の第２の実施の形態を示す斜視図である。
【図４】本考案において使用する固定手段の一例を示す説明図である。
【図５】（ａ）〜（ｄ）は、本考案の起立補助具を用いてベッドから起きあがり、立ち上がり、次に車椅子に移乗するまでの一連の動作を示す平面図である。
【図６】従来のベッドサイド手すりを示す斜視図である。
【符号の説明】
【００２２】
Ａ        固定手すり
Ａ２      縦枠
Ｂ        延出手すり
Ｂ１      脚部
１０      第１手すり部
１１ａ    横枠
１１ｂ    横枠
１２      縦枠
２０      第２手すり部
２１ａ    横枠
２１ｂ    横枠
２２      縦枠
２３      脚部
２４      脚部
３０      固定手段
θ        角度
α        角度
Ｐ、Ｐ１、Ｐ２    支柱
Ｎ        固定手段
【図１】
0003108447.tif 000003
【図２】
0003108447.tif 000004
【図３】
0003108447.tif 000005
【図４】
0003108447.tif 000006
【図５】
0003108447.tif 000007
【図６】
0003108447.tif 000008